(57)【要約】      （修正有）【課題】客が求めるメーカのゴルフクラブが分かりやすく展示され、素振りなどのために取り出しやすく、元に戻しやすく、なおかつ店の立場で小さなスペースに効率的にゴルフクラブをきれいに展示できる展示用支持装置を提供する。【解決手段】複数の懸架したシャフトが指し示す方向が略（ほぼ）一点を指し示すように連結部材であるフラットバー１２を曲線的に円弧を描いて作るようにし、かつ、クラブのヘッドが客からみてほぼ全体を見て取れ、メーカ名やブランド名が確認できるようにフック部材を構成した。また展示用支持装置の基台部４０を小さくし、客が前かがみでなく、足を踏み込んでクラブを取り出し、元に戻せるようにし、客、店、相方にとってより良い展示装置とした。【選択図】図７
2010012192.tif 000002
【特許請求の範囲】
【請求項１】
ゴルフクラブを懸架する複数のフック部材と、連結部材とで構成され、該ゴルフクラブを凸として、該フック部材を凹として、凸凹を組み合わせて、該ゴルフクラブを所定位置に安定的に展示するゴルフクラブの展示用支持装置において、該懸架したゴルフクラブの該ウッドヘッドが該展示用支持装置の正面からみて視覚可能なように該連結部材を、曲線的に成型するとともに、かつ該フック部も成型し、該ゴルフクラブの複数のシャフトの先端が、略一点を指すように構成したことを特徴とするゴルフクラブの展示用支持装置
【請求項２】
前記ゴルフクラブは、該展示用支持装置に安定的に懸架できるようにするため、該フック部は該展示用支持装置の正面手前に於いて、該ゴルフクラブのウッドヘッド部を支える支持部とフェイス面を支持する支持部と該シャフトがその先端部に於いて、前記略一点を指すように該シャフトを半固定する収受部を設けたことを特徴とする範囲第１項に示した展示用支持装置
【請求項３】
該展示用支持装置の基盤台の端部は、前記連結部材の展示先端部より位置を下げ、前記シャフトの先端部が指し示す前記一点に近接して、小さく形造ったことを特徴とする範囲第１項に示した展示用支持装置
【発明の詳細な説明】
【技術分野】
【０００１】  ゴルフ用品などのスポーツ用品の展示・陳列用品に関する。
【背景の技術】
【０００２】  ゴルフクラブは、ユーザが希望する方向と距離にできるだけ正確に打つことができるクラブが最良のクラブとされているが、そのような技術的改良、開発は各クラブメーカによってこれまで継続的に行われてきている。ウッドクラブでいえば、クラブヘッドが軽く、なおかつ飛距離がでるものや、それに合わせた軽くて強靭性をもつシャフトの開発などである。
【０００３】  しかし、どのような良いクラブが開発されても万人に通用するものの開発は、なかなか難しい。ユーザが自分に適合したものをいくつかのクラブの中から見つけ、選択するしかない。ゴルフクラブの販売は、その意味で単に商品を陳列し、見せる場所だけでなく、ユーザが手に取って素振りし、試してみる場所となっている。
【０００４】  この場合、ゴルフクラブを陳列する展示用支持装置はユーザが所望するゴルフクラブがどこにあるのかが見つけ易く、なおかつ取り外しが簡単で懸架して、元に戻しやすくなっていることが必要となる。
【０００５】    一方商品の販売のための展示用支持装置などの陳列用品装置は、ともすればなかなか改良、改善されない。理由は以下のようにいくつかある。▲１▼  販売するのは商品であり、その商品の品質は、商品の売上に影響することは理解されクラブメーカは改良、改善に力を注ぎ、お金をかけるが、陳列用品が商品の販売にどのように寄与しているのかが、なかなか分からない。▲２▼  商品をつくるメーカは販促用に陳列用品を作ることはあるが、一つのメーカの販促用の陳列用品はどうしても生産量が少なくなり、割高になり、短発的なものになりがちとなる。▲３▼  スーパーにしろ、百貨店にしろ、個々の商品の陳列用品を開発することまで手が回らない▲４▼  商品を生産するメーカと商品を販売する流通業者が大きく分れているため、販売するための陳列用品として、どのようなものがよいのかの情報が陳列用品を作るメーカに伝わらず、研究や開発が遅れてしまった。
【０００６】  以上のような要因で、陳列用品は商品の販売に適合したものを作ることが難しかった。本題は、スポーツ用品の展示・陳列用品のうち、ゴルフクラブの展示用支持装置に関し、商品販売の実際を調査し、そこで問題点をチェックする中で検討課題に上った展示用支持装置の開発を目的とした。背景の技術として従来の技術を検討していくと、次のような点があげられる。
【０００７】  ゴルフ用クラブの陳列用の支持装置としては、本出願人は「特公平４−４２９２５」で、金属やプラスチックで成形した基部材と、合成ゴムやシリコン樹脂等の弾性部材からなる表装部材を組み合わせた支持装置を提案している。ここでは、展示するゴルフクラブは、グリップ部を、穴状部材に挿入し、シャフト部を支持することによって、支えている。図８は、この他クラブのヘッドを置き、シャフトを支える展示用支持装置の事例である。ここでの実施例としては、アイアンを支持する支持装置を示している。
【０００８】  ウッドの場合も、シャフトの部分の２点を、支持して支える図９のような支持装置も知られている。これら２点支持の方式は、どこで支持するのかは別にして、一定の距離・間隔を置いた２点を支持することが必要となり、その場合、「特公平４−４２９２５」のように、支持する部材が、別部材のときには、それぞれを調整して固定する事が必要となり、そのために部材も必要であった。
【０００９】  ゴルフクラブの展示用装置としてアイアンクラブなどは、従来は図８や図９に見るように２点支持による展示方法が主流であった。図８では、複数の凹部設けた板を対向位置に設置しその凹部にシャフト部を置き、シャフト部を２点で支持する方法である。図８は、グリップ部の端部を穴に投入し、一方で複数の凹部を持つ支持板でシャフト部を支える方法である。        特許文献１    特公平４−４２９２５        特許文献２    特開２００４−１３６０６９
【発明の開示】
【発明が解決しようとする課題】
【００１０】  ウッド用ゴルフクラブを、シャフトやグリップ部の２点で支持固定しようとする方式は、支持装置が大がかりになりコストがかかるとともに、クラブのヘッド部の展示方向が定まらず、客が取り出して見た後は、展示がバラバラになってしまう問題があった。【００１１】  型を作って固定する方式も、１つの展示用の支持装置としてウッドを三つ並べて表示することを考えると、図８のようにその型自体が大変大がかりなものとなり、そこで、ヘッド部を保持する部分を出来るだけ薄くし、コスト面での負荷を軽減しようとすると、どうしてもシャフトが真下に固定されず、３つ並べたクラブのシャフトが不揃いになってしまうということになった。【００１２】  ２点支持によるアイアンクラブの場合も、展示方法が図８や図９のような２点支持では支持が不安定であり、クラブヘッドが安定的に展示できなかった。店員が展示するときにヘッドに刻印されたメーカ名やブランド名を見えるように揃えて展示しても、客が重さやバランスの具合を見、試し振りなどをするためクラブを展示装置から取り出した後、元のように整理して戻されるとは、限られず、店員がきれいに展示し直すことも必要だった。【００１３】  そうした点を考え本出願人が出願した先の出願「特開２００４−１３６０６９」では上記問題を解決するために、クラブヘッドをフックする部材とこれらのフック部材とを連結する部材とを、別部材とした。フックする部材を、厚みがあり、クラブヘッドを凸部として置けば、凹部として、きっちりと安定的に喰え込めるような構造にし、そうしたことを可能なように素材としてゴムやシリコン樹脂などの弾性部材を使用した。また連絡部材は、金属や強化プラスチックを素材として利用した。そして、客が手にとって素振りをした後、戻せばきちっと元通りに展示される展示用支持装置にした。【００１４】  ウッドクラブとしては、シャフトをはさむウッドのフェイス面と、ウッド面（裏面）との両面に１部のみ当接し、かつシャフト部をシャフトに添って、弾性的に長く喰え込むことによって、安定的に固定する方法を見つけた。このことによって、大きな支持装置とすることなくウッド用のクラブを支持する装置となっている。【００１５】  ゴルフ用アイアンクラブについては、  ▲１▼  ヘッド部を上方にし、略同じ高さもしくは略一定間隔で高さを下げて展示するようにした。  ▲２▼  そのためにヘッド部を懸架し線と面で支持し、シャフトを長さ方向の２点を結ぶ線支持するようにして展示し、  ▲３▼  かつ、ヘッド部に刻印表示されたブランドマークや社名等をユーザが見やすい方向に固定表示できるようにし、  ▲４▼  しかもそれらが一定間隔でかつ、シャフトが互いに略平行になるようにした。【００１６】  本発明は特開２００４−１３６０６９に示したゴルフ用クラブの展示用支持装置を更にユーザの立場に立って、使いやすく、改良を図ることが課題である。展示用支持装置は、▲１▼展示されているゴルフクラブが、どこのメーカのどのような商品名のクラブであるのかが、一目で分かるように、より見易く展示されていること▲２▼どこのゴルフショップやゴルフ場、百貨店でも求められる小さなスペースに効率よく展示すること、この点が基本である。従って、この２点の方向でより使い易く、改良を図ることが本願の課題である。
【課題を解決するための手段】
【００１７】  そこで本願は、上述した課題を解決するために▲１▼懸架したゴルフクラブのウッドヘッドが、展示用支持装置の正面からみて視覚可能なように構成すると共に、▲２▼展示用支持装置に懸架した複数のゴルフクラブのシャフトの先端が、略一点を指すようにし、展示用支持装置の基台部を小さくし、小さな展示スペースで、効率よく展示できるようにした。【００１８】  また同様にアイアンクラブも展示用支持装置に懸架した時、そのシャフトの先端が略一点を指すようにし、展示用支持装置が小さなスペースで効率よく展示できるようにした。【００１９】  より具体的には、ゴルフクラブのヘッド部を上にして、懸架するフック部と複数の該フック部を、連結する連結する部材をもつ展示用支持装置に於いて、連結部材を曲線的に円弧状に成形し、展示用支持装置に構成し、フック部材を取り付けた時、正面方向に向かって暫時曲線的に、高位置から低位置に位置取りするようにした。同時に複数の該フック部材に懸架したゴルフクラブのシャフトが略一点を指し示すようにした。
【発明の効果】
【００２０】  本発明のゴルフクラブの展示用支持装置は、特開２００４−１３６０６９で本件出願人が提案した展示用支持装置の従来になかった良さをさらに改良し、使いやすくしたものである。すなわち、フック部材と連結部材に分けて作る事により、展示用支持装置としては展示スペースを取らない様にし、かつ連結部材を曲線的に形成し、展示用支持装置の正面方向に向かって高低の位置が低いほうに下がるようにし、複数のフック部材に懸架したゴルフクラブのヘッドが客の目に入りやすいようにし、客が選択しやすくなった。【００２１】  また、曲線的に構成した連結部材に取り付けたフック部材に懸架した複数のゴルフクラブのシャフトの先端が一点を指すように構成し、それに合わせて基台部を小振りに作っているため、小さなスペースでの有効展示が可能である。【００２２】  本発明では展示用支持装置の正面方向にたった客が、求めるゴルフクラブが捜しやくすなり、かつフックに懸架しているゴルフクラブのウッドヘッドに近いシャフトをもつことによって、シャフトの先端が指し示す方向から抜き取るようにして取り出し、かつ元にもどすことができるため、客がクラブを取り外し易く、また元に戻し易くし、その結果、店員の整理の手間を省くことができた。また、クラブの特徴をより見え易く展示し、展示用支持装置の品質を上げることができた。こうした結果、客の購買意欲を増し、販売増進につなげることができる。
【発明を実施するための最良の形態】
【００２３】  図１は、本発明によるゴルフクラブの展示用支持装置の一実施例で、ウッドクラブを懸架したときの部分外観図である。（２）はウッドクラブ、（４）はウッドヘッド、（６）はシャフト、（８）はフェイス面、（１２）は連結部材であるフラットバーの先端部、（１４）はフック部材である。【００２４】  図２は、図１と同じ部分外観図で、図１は展示用支持装置の正面から見た図であり、図２は側面から見た図である。（１０）はゴルフクラブのウッドヘッド部（４）とシャフト部（６）との結合部であり、（１６）はサイドバー、（１８）はフラットバーの先端部に結合されサイドバーとの締結部材である。【００２５】  図３、図４は、それぞれ図１及び図２からゴルフクラブを外し、フック部の構造がよりはっきりとわかるようにした図で連結部材であるフラットバー（１２）に取り付けたフック部の外観図である。（２０）はウッドクラブの凸部を受ける凹部、（３２）はウッドヘッド部を支える支持部、（３４）は、フェイス面を半固定し支える支持部である。また（３６）はシャフトを半固定するように収受する収受部である。【００２６】  図１、図２でみるように、フック部材（１４）に懸架されたウッドクラブ（１２）のウッドヘッド（４）のほぼ全面が、展示用支持装置の正面から見て、見て取れるようになっている。図２でみるようにフック部材（１４）の凹部（２０）がフラットバー（１２）に対し斜めに持ち上げるように取り付けていることによって、ウッドヘッド部（４）が図１のようにみえるようになっている。【００２７】  その場合、フラットバー（１２）に複数のフック部材を取り付け、そこに懸架したウッドクラブのウッドヘッド部が、各メーカの商品名、ブランド名が読み取れるように展示するために、フラットバー（１２）を曲線的に構成し、サイドバー（１６）との締結部（１８）から、展示用装置正面に進むに従って、高低の位置が低くなるようにしている。【００２８】  図５は、曲線的に作ったフラットバー（２２）の全体外観図の一実施例であり、図６は、このフラットバー（２２）に、フック部材を取り付け（図示せず）、ウッドクラブ（２４）を５本取り付けた時の想定外観図である。この様にフラットバー（２２）は、締結部（２６）より先端に進むに従って低い位置を取るため、複数のフック部材をこのフラットバーに取り付け、そこにウッドクラブを懸架しても、どのウッドクラブも図１のようにそのウッドヘッド部を見て取ることができるようになっている。この状態にするためフック部材は、図３、図４に示したような構成をとっている。【００２９】  また、同一の構成にしたフック部材をこの曲線的に構成したフラットバー（２２）に取り付けると、そこに懸架したウッドクラブのシャフトの先端方向は図６に見るように一点（２８）を指すように構成される。このため展示用支持装置の基台（図示せず）は、小さくしても安定的にゴルフクラブを展示できるようになっている。【００３０】  例えば、従来の展示用支持装置では、ゴルフクラブは垂直方向に垂れ下がるように展示していたため図６でいうと、ゴルフクラブ（２４‐１）は、フラットバーとの接点（３０）部から、垂直方向に展示されていた。従って必然的に展示用支持装��はその空間部まで展示スペースが占めることになり、そこには客は足を踏み入れることができなかった。その結果、多少前かがみになって、ゴルフクラブを出し入れすることになった。【００３１】  ところが、図７で見るように本件発明の展示用支持装置の場合、客が立っている位置からはかなり位置が下がり奥行きのある一点（２８）に向かって、シャフトがそろっている為、その分基台を小さくできると共に、客もそのエリアに足を踏み入れることができるため楽にゴルフクラブの出し入れをできるようになった。図７はフラットバーを６本揃えた本件展示用支持装置の全体図であり、（３８）は枠体、（４０）は従来より小さく作った基台部である。）【００３２】  本願出願人が先に提案し、実用化が進んでいる特願２００４‐１３６０６９の展示用支持装置の場合、ウッドクラブやアイアンクラブのヘッド部を凸部とし、それに対してフック部を凹部に構成し、この凸部と凹部を組み合わせて、懸架できるようにしていた。懸架した後は、重力の働く垂直方向にシャフトが下りて、自然と安定的に展示することができた。【００３３】  しかし本願の場合、シャフトの先端が指し示す方向は重力の向かう垂直方向でないため、ヘッド部と、ヘッド部からシャフト部へと連なる連結部、そしてシャフト部をきっちりと受けとめ、半固定できるフック部の構成が必要であった。【００３４】  図３、図４で説明するとウッドクラブを懸架し、前掛かりになるウッドヘッドを支える支持部（３２）、挿入したウッドクラブが、挿入方向から外れないように支える支持部（３４）そして、シャフトをはさみ込んで半固定する収容部（３６）が、それぞれ主要な働きをして、ウッドクラブを宙空上に半固定する仕組みになっている。【００３５】  ここでは、ウッドクラブを中心にして説明したが、本願はもちろん、アイアンクラブの展示用支持装置として応用可能である。また、図６でいうと、図面を描いた紙の手前の方向にいくつも重ねて、図７のように作ることはもちろんのこと、図面上右側にも図面上左側にと対象的に構成することも可能であり、本願は、実施例でしょうかいした事例に限定されない。
【図面の簡単な説明】
【００３６】
【図１】図１は、本発明によるゴルフクラブの展示用支持装置にウッドクラブを懸架したときの正面外観図。
【図２】図２は、本発明によるゴルフクラブの展示用支持装置にウッドクラブを懸架したときの側面外観図。
【図３】図３は、図１に示した展示用支持装置。
【図４】図４は、図２に示した展示用支持装置。
【図５】図５は、本発明によるゴルフクラブの展示用支持装置のフラットバーの外観図。
【図６】図６は、本発明によるゴルフクラブの展示用支持装置のフラットバーにいくつかのゴルフクラブを懸架したときの想定外観図。
【図７】図７は、本発明による展示用支持装置の全体外観図。
【図８】図８は、従来のゴルフクラブの展示用支持装置の一例の外観図。
【図９】図９は、従来のゴルフクラブの展示用支持装置の一例の外観図。
【図１】
2010012192.tif 000003
【図２】
2010012192.tif 000004
【図３】
2010012192.tif 000005
【図４】
2010012192.tif 000006
【図５】
2010012192.tif 000007
【図６】
2010012192.tif 000008
【図７】
2010012192.tif 000009
【図８】
2010012192.tif 000010
【図９】
2010012192.tif 000011